(57)【要約】【課題】利用者の満足度の低下を抑制することを可能とする。【解決手段】管理部１０４は、第１店舗端末または利用者端末を介して、予め定められた長さの時間帯を示す入店予定時間を利用者に指定させる。第１登録部１０２または第２登録部１０３は、第１店舗端末または利用者端末に対する利用者の操作に応じて指定された入店予定時間を含む順番待ち情報を登録する。表示処理部１０５は、登録された順番待ち情報を、順番待ち情報に含まれる入店予定時間に基づいて第２店舗端末に表示する。【選択図】図３
2019101568.tif 000002
【特許請求の範囲】
【請求項１】
利用者の店舗に対する順番待ちを受け付ける際に当該利用者によって操作される第１端末装置及び前記店舗に設けられる第２端末装置と接続される情報管理装置において、
前記第１端末装置を介して、予め定められた長さの時間帯を示す入店予定時間を前記利用者に指定させる管理手段と、
前記第１端末装置に対する前記利用者の操作に応じて指定された入店予定時間を含む順番待ち情報を登録する登録手段と、
前記登録された順番待ち情報を、当該順番待ち情報に含まれる入店予定時間に基づいて前記第２端末装置に表示する第１表示処理手段と
を具備する情報管理装置。
【請求項２】
前記入店予定時間毎に登録可能な順番待ち情報の数を示す設定情報を格納する設定情報格納手段と、
前記設定情報に基づいて前記利用者に指定させることが可能な入店予定時間を前記第１端末装置に表示する第２表示処理手段と
を更に具備し、
前記管理手段は、前記第１端末装置に表示された入店予定時間から前記利用者に指定させる
請求項１記載の情報管理装置。
【請求項３】
前記第１端末装置は、前記店舗に設けられている店舗端末を含み、
前記第２表示処理手段は、前記利用者に指定させることが可能な入店予定時間のうち最も早い入店予定時間を前記店舗端末に表示する請求項２記載の情報管理装置。
【請求項４】
前記第２端末装置に対する操作に応じて前記利用者に指定させる入店予定時間によって示される時間帯の長さを変更する変更手段を更に具備する請求項１記載の情報管理装置。
【請求項５】
前記登録手段は、前記利用者の順番待ちに対して発行された受付番号を含む順番待ち情報を登録し、
前記受付番号は、当該受付番号を含む順番待ち情報に含まれる入店予定時間を識別可能な番号である
請求項１記載の情報管理装置。
【請求項６】
利用者の店舗に対する順番待ちを受け付ける際に当該利用者によって操作される第１端末装置及び前記店舗に設けられる第２端末装置と接続される情報管理装置が実行する情報管理方法において、
前記第１端末装置を介して、予め定められた長さの時間帯を示す入店予定時間を前記利用者に指定させるステップと、
前記第１端末装置に対する前記利用者の操作に応じて指定された入店予定時間を含む順番待ち情報を登録するステップと、
前記登録された順番待ち情報を、当該順番待ち情報に含まれる入店予定時間に基づいて前記第２端末装置に表示するステップと
を具備する情報管理方法。
【請求項７】
利用者の店舗に対する順番待ちを受け付ける際に当該利用者によって操作される第１端末装置及び前記店舗に設けられる第２端末装置と接続される情報管理装置のコンピュータによって実行されるプログラムであって、
前記コンピュータに、
前記第１端末装置を介して、予め定められた長さの時間帯を示す入店予定時間を前記利用者に指定させるステップと、
前記第１端末装置に対する前記利用者の操作に応じて指定された入店予定時間を含む順番待ち情報を登録するステップと、
前記登録された順番待ち情報を、当該順番待ち情報に含まれる入店予定時間に基づいて前記第２端末装置に表示するステップと
を実行させるためのプログラム。
【発明の詳細な説明】
【技術分野】
【０００１】
本発明は、情報管理装置、情報管理方法及びプログラムに関する。
【背景技術】
【０００２】
一般に飲食店等の店舗を利用する利用者は、当該店舗に来店した時点で当該店舗が満席の状態にある場合、当該店舗が利用可能となるまで順番待ちをする必要がある。
【０００３】
近年では、このような順番待ちを管理するためのシステム（以下、情報管理システムと表記）が開発されており、当該情報管理システムにおいては、順番待ちをする利用者の利便性を向上させることができる（例えば、特許文献１を参照）。
【先行技術文献】
【特許文献】
【０００４】
【特許文献１】特開２０１７−１４２６１６号公報
【発明の概要】
【発明が解決しようとする課題】
【０００５】
ところで、上記した情報管理システムにおいて例えば利用者によって使用される端末装置から順番待ちを受け付ける場合、当該利用者が店舗を利用する時刻（以下、入店予定時刻と表記）を指定することができる場合がある。
【０００６】
しかしながら、実際に利用者が店舗を利用可能となる時刻は、当該店舗の混雑度合い等の影響を受け、上記した入店予定時刻から遅れる場合も多い。
【０００７】
すなわち、利用者によって指定された入店予定時刻に当該利用者を店舗に入店させることができない場合があり、当該利用者の満足度を低下させる可能性がある。
【０００８】
そこで、本発明の目的は、利用者の満足度の低下を抑制することができる情報管理装置、情報管理方法及びプログラムを提供することにある。
【課題を解決するための手段】
【０００９】
本発明の１つの態様によれば、利用者の店舗に対する順番待ちを受け付ける際に当該利用者によって操作される第１端末装置及び前記店舗に設けられる第２端末装置と接続される情報管理装置が提供される。前記情報管理装置は、管理手段と、登録手段と、第１表示処理手段とを具備する。前記管理手段は、前記第１端末装置を介して、予め定められた長さの時間帯を示す入店予定時間を前記利用者に指定させる。前記登録手段は、前記第１端末装置に対する前記利用者の操作に応じて指定された入店予定時間を含む順番待ち情報を登録する。前記第１表示処理手段は、前記登録された順番待ち情報を、当該順番待ち情報に含まれる入店予定時間に基づいて前記第２端末装置に表示する。
【発明の効果】
【００１０】
本発明は、利用者の満足度の低下を抑制することを可能とする。
【図面の簡単な説明】
【００１１】
【図１】本発明の実施形態に係る情報管理装置を備える情報管理システムの構成の一例を示す図。
【図２】情報管理装置のハードウェア構成の一例を示す図。
【図３】情報管理装置の機能構成の一例を示す図。
【図４】第１店舗端末からの順番待ちを示す順番待ち情報を登録する際の情報管理システムの処理手順の一例を示すシーケンスチャート。
【図５】利用者端末からの順番待ちを示す順番待ち情報を登録する際の情報管理システムの処理手順の一例を示すシーケンスチャート。
【図６】順番待ち情報格納部に登録された順番待ち情報のデータ構造の一例を示す図。
【図７】第２店舗端末に順番待ち情報を表示する際の情報管理システムの処理手順の一例を示すシーケンスチャート。
【図８】スタッフ画面の一例を示す図。
【図９】枠数設定画面の一例を示す図。
【図１０】枠数設定画面に対する設定内容について具体的に説明するための図。
【図１１】枠数設定画面に対する設定内容について具体的に説明するための図。
【図１２】第１店舗端末に受付画面を表示するための情報管理装置の処理手順の一例を示すフローチャート。
【図１３】受付画面の一例を示す図。
【図１４】第２受付画面の一例を示す図。
【図１５】第３受付画面の一例を示す図。
【図１６】第４受付画面の一例を示す図。
【図１７】利用者端末からの順番待ちを示す順番待ち情報を登録する際に利用者によって入店予定時間が指定される場合の処理手順の一例を示すシーケンスチャート。
【図１８】第１選択画面の一例を示す図。
【図１９】第２選択画面の一例を示す図。
【図２０】入店予定時間を識別可能な受付番号について説明するための図。
【発明を実施するための形態】
【００１２】
以下、図面を参照して、本発明の実施形態について説明する。
【００１３】
図１は、本実施形態に係る情報管理装置を備える情報管理システム（ネットワークシステム）の構成を示す。情報管理システムは、各種店舗（施設）における利用者の順番待ちを管理するためのシステムである。なお、本実施形態において、店舗には、例えば飲食店、薬局、病院、美容院、旅行代理店、スマートフォンまたは携帯電話の購入及び契約が可能なショップ、及びアミューズメント施設等が含まれる。すなわち、本実施形態における店舗は、当該店舗を利用者が利用するために順番待ちが可能な店舗であればよい。
【００１４】
図１に示すように、情報管理システムは、情報管理装置１０、第１店舗端末２０、第２店舗端末３０及び利用者端末４０を備える。なお、情報管理装置１０は、第１店舗端末２０、第２店舗端末３０及び利用者端末４０とそれぞれインターネットのようなネットワーク５０を介して通信可能に接続されている。
【００１５】
情報管理装置１０は、店舗における利用者による順番待ちを管理するための機能を有するサーバ装置である。なお、情報管理装置１０の機能構成については後述する。
【００１６】
第１店舗端末２０及び第２店舗端末３０は、順番待ちが可能な店舗に設けられている端末装置である。第１店舗端末２０は、例えば店舗の入り口（つまり、店頭）付近に設置され、主に店舗に来店する利用者（客）によって使用される。利用者は、例えば店舗に来店した時点で店舗が満席の状態にある場合、第１店舗端末２０を操作することによって当該店舗において順番待ちをすることができる。
【００１７】
第２店舗端末３０は、例えば店舗のレジ付近に設置され、主に店舗のスタッフ（従業員等）によって使用される。店舗のスタッフは、第２店舗端末３０において順番待ちの状況等を確認することができる。
【００１８】
本実施形態においては、第１店舗端末２０及び第２店舗端末３０が異なる端末であるものとして説明するが、当該第１店舗端末２０及び第２店舗端末３０は一体として構成されていてもよい。
【００１９】
利用者端末４０は、例えば店舗を利用する利用者によって使用される端末装置である。利用者端末４０には、例えばスマートフォン、タブレット端末及びパーソナルコンピュータ（ＰＣ）等が含まれる。利用者端末４０は、例えば店舗以外の場所から店舗に対する順番待ち（つまり、利用者端末４０からの順番待ち）をするために用いられる。
【００２０】
なお、図１においては便宜的に第１店舗端末２０、第２店舗端末３０及び利用者端末４０がそれぞれ１つずつ示されているが、情報管理装置１０には、複数の第１店舗端末２０及び第２店舗端末３０が接続されていてもよいし、複数の利用者端末４０が接続されていてもよい。具体的には、情報管理装置１０には、例えば情報管理システムを導入している店舗と少なくとも同数の第１店舗端末２０及び第２店舗端末３０が接続される。また、情報管理装置１０には、情報管理システムに予め登録している利用者と少なくとも同数の利用者端末４０が接続される。
【００２１】
図２は、図１に示す情報管理装置１０のハードウェア構成の一例を示す。図２に示すように、情報管理装置１０においては、バス１１に、不揮発性メモリ１２、ＣＰＵ１３、メインメモリ１４及び通信部１５等が接続されている。なお、不揮発性メモリ１２及びメインメモリ１４は、情報管理装置１０の記憶装置を構成する。
【００２２】
不揮発性メモリ１２は、例えばオペレーティングシステム（ＯＳ）及び上記した店舗における順番待ちを管理するためのプログラム（以下、順番管理プログラムと表記）を含む各種プログラムを格納する。
【００２３】
ＣＰＵ１３は、例えば不揮発性メモリ１２に格納されている各種プログラムを実行するプロセッサである。なお、ＣＰＵ１３は、情報管理装置１０全体の制御を実行する。
【００２４】
メインメモリ１４は、例えばＣＰＵ１３が各種プログラムを実行する際に必要とされるワークエリア等として使用される。
【００２５】
図２においては不揮発性メモリ１２及びメインメモリ１４のみが示されているが、情報管理装置１０は、ＨＤＤ（Hard Disk Drive）及びＳＳＤ（Solid State Drive）等の他の記憶装置を備えていてもよい。
【００２６】
通信部１５は、インターネット等のネットワーク５０を介して例えば第１店舗端末２０、第２店舗端末３０及び利用者端末４０等の外部装置と実行される通信を制御する機能を有する。なお、通信部１５によれば、例えば無線ＬＡＮ及びＷｉｆｉ（登録商標）等の無線通信機能を実現することができる。
【００２７】
図３は、本実施形態に係る情報管理装置１０の主として機能構成の一例を示すブロック図である。図３に示すように、情報管理装置１０は、受付部１０１、第１登録部１０２、第２登録部１０３、管理部１０４、表示処理部１０５、設定部１０６及び格納部１０７を含む。
【００２８】
本実施形態において、各部１０１〜１０６は、例えば図２に示すＣＰＵ１３（つまり、情報管理装置１０のコンピュータ）が不揮発性メモリ１２に格納されている順番管理プログラムを実行すること（つまり、ソフトウェア）により実現されるものとする。なお、この順番管理プログラムは、コンピュータ読み取り可能な記憶媒体に予め格納して頒布可能である。また、この順番管理プログラムは、例えばネットワークを介して情報管理装置１０にダウンロードされても構わない。
【００２９】
ここでは、各部１０１〜１０６がソフトウェアにより実現されるものとして説明したが、当該各部１０１〜１０６は、ハードウェアにより実現されてもよいし、ソフトウェア及びハードウェアの組み合わせによって実現されてもよい。
【００３０】
また、本実施形態において、格納部１０７は、例えば図２に示す不揮発性メモリ１２または他の記憶装置等に格納される。なお、格納部１０７は、後述する順番待ち情報が登録（格納）される順番待ち情報格納部と、各種設定情報が登録（格納）される設定情報格納部とを含む。
【００３１】
受付部１０１は、第１店舗端末２０に対する複数の利用者の各々の操作に基づいて、当該第１店舗端末２０からの店舗に対する順番待ちを受け付ける。また、受付部１０１は、利用者端末４０に対する利用者の操作に基づいて、当該利用者端末４０からの店舗に対する順番待ちを受け付ける。なお、受付部１０１は、第２店舗端末３０からの店舗に対する順番待ちを受け付けてもよい。
【００３２】
第１登録部１０２は、受付部１０１によって第１店舗端末２０からの順番待ちが受け付けられた場合、当該順番待ちを示す順番待ち情報を上記した順番待ち情報格納部に登録（格納）する。なお、上記したように第２店舗端末３０からの順番待ちが受け付けられた場合には、第１登録部１０２は、当該順番待ちを示す順番待ち情報を順番待ち情報格納部に登録する。
【００３３】
第２登録部１０３は、受付部１０１によって利用者端末４０からの順番待ちが受け付けられた場合、当該順番待ちを示す順番待ち情報を順番待ち情報格納部に登録（格納）する。
【００３４】
なお、上記した順番待ち情報は、当該順番待ち情報によって示される順番待ちが受け付けられた順に順番待ち情報格納部に格納される。
【００３５】
管理部１０４は、例えば第２店舗端末３０からの要求に応じて、順番待ち情報格納部に格納された順番待ち情報を当該第２店舗端末３０に表示するための画面（以下、スタッフ画面と表記）を生成する。
【００３６】
表示処理部１０５は、管理部１０４によって生成されたスタッフ画面（データ）を第２店舗端末３０に送信し、当該スタッフ画面を第２店舗端末３０に表示する。
【００３７】
設定部１０６は、情報管理システム（情報管理装置１０）における各種設定を行う。設定部１０６によって設定された内容（を示す設定情報）は、上記した設定情報格納部に登録（格納）される。なお、設定情報格納部に格納される設定情報については後述する。
【００３８】
以下、本実施形態に係る情報管理装置１０の動作について説明する。まず、図４のシーケンスチャートを参照して、第１店舗端末２０からの順番待ちを示す順番待ち情報を登録する際の情報管理システムの処理手順について説明する。ここでは、第１店舗端末２０から順番待ちをする利用者を対象利用者と称する。
【００３９】
まず、対象利用者が第１店舗端末２０（及び第２店舗端末３０）が設けられている店舗に来店した場合を想定する。この場合、第１店舗端末２０には、対象利用者の店舗に対する順番待ちを受け付けるための受付画面が表示されている（ステップＳ１）。なお、この受付画面は、例えば第１店舗端末２０上で動作するブラウザを介して表示されている。
【００４０】
例えば対象利用者が店舗に来店した時点で当該店舗が満席の状態にある場合、対象利用者は、第１店舗端末２０に表示されている受付画面に対する操作を行う。なお、例えば店舗の利用者の数等を把握するために、満席の状態でない場合であっても受付画面に対する操作を利用者に行わせるようにしてもよい。
【００４１】
ここで、本実施形態において利用者が順番待ちをする場合、対象利用者は、店舗への入店予定時間を指定することができるものとする。このように入店予定時間が指定された順番待ちの場合には、対象利用者が当該入店予定時間に店舗に入店することが可能なように順番待ちが管理される。なお、本実施形態において、入店予定時間は「日付」（の情報）も含む概念であるものとする。
【００４２】
第１店舗端末２０は例えばタッチパネルを備えており、対象利用者は、当該タッチパネルを介して上記した入店予定時間を入力（指定）することができる。
【００４３】
なお、本実施形態における受付画面においては少なくとも入店予定時間を入力することができるものであればよいが、店舗が飲食店等である場合、当該受付画面は、例えば店舗に入店する人数や店舗に対する要望等を入力することができるようなものであってもよい。店舗に対する要望としては、例えば対象利用者が希望する席の種別としてテーブル席、カウンター席及び座敷等を選択することができる。また、禁煙席または喫煙席を選択することができるようにしてもよい。
【００４４】
また、受付画面においては、後述する第２店舗端末３０に表示されるスタッフ画面と同様に、順番待ちの状況（順番待ち情報の一覧）が表示されてもよい。
【００４５】
上記したように受付画面に対して対象利用者が入店予定時間を入力した場合、当該第１店舗端末２０は、対象利用者によって入力された入店予定時間を取得する（ステップＳ２）。以下の説明においては、入店予定時間以外に、上記した店舗に入店する人数（以下、単に人数と表記）及び対象利用者が希望する席の種別（以下、単に席種別と表記）についても取得されたものとする。
【００４６】
この場合、第１店舗端末２０は、取得された入店予定時間、人数及び席の種別を含む順番待ちの受付要求を、ネットワーク５０を介して情報管理装置１０に送信する（ステップＳ３）。
【００４７】
情報管理装置１０に含まれる受付部１０１は、第１店舗端末２０によって送信された順番待ちの受付要求を受信する。これにより、受付部１０１は、第１店舗端末２０が設けられている店舗に対する順番待ちを受け付ける。
【００４８】
次に、第１登録部１０２は、受付部１０１によって受け付けられた順番待ちを登録するために、当該順番待ちを示す順番待ち情報（以下、店舗順番待ち情報と表記）を生成する（ステップＳ４）。
【００４９】
ここで、ステップＳ４の処理について説明する。まず、受付部１０１によって順番待ちが受け付けられた場合、第１登録部１０２は、当該順番待ち（をする利用者）に対して受付番号を発行する。
【００５０】
また、第１登録部１０２は、例えば現在時刻を登録時刻として取得する。登録時刻は、順番待ち情報が登録された時刻として用いられる。なお、この登録時刻（現在時刻）は、例えば情報管理装置１０内のクロック等から取得される。
【００５１】
また、第１登録部１０２は、順番待ちの経路の情報を取得する。ここでは、受付要求が第１店舗端末２０から受信されているため、第１登録部１０２は、経路の情報として、第１店舗端末２０からの順番待ちであることを示す「店舗」を取得する。
【００５２】
これにより、第１登録部１０２は、受付部１０１によって受信された受付要求に含まれる入店予定時間、人数及び席種別に加えて、上記した受付番号、登録時刻及び経路を含む店舗順番待ち情報を生成する。
【００５３】
上記したようにステップＳ４において生成された店舗順番待ち情報は、第１登録部１０２によって順番待ち情報格納部に登録される（ステップＳ５）。
【００５４】
ステップＳ５において店舗順番待ち情報が登録されると、当該登録が完了した旨の通知（以下、登録完了通知と表記）が情報管理装置１０から第１店舗端末２０に送信される（ステップＳ６）。なお、登録完了通知には、登録された店舗順番待ち情報に含まれる受付番号等が含まれる。
【００５５】
ここで、第１店舗端末２０には、印刷装置が内蔵されているものとする。これにより、第１店舗端末２０においては、情報管理装置１０から送信された登録完了通知（に含まれる受付番号）が受信され、印刷装置によって当該受付番号が印刷された順番待ちカードが発券される（ステップＳ７）。なお、順番待ちカードには、受付番号の他に、入店予定時間等の情報が印刷されていてもよい。
【００５６】
対象利用者は、発券された順番待ちカードに印刷されている受付番号に基づいて店舗のスタッフに呼び出されることによって、当該店舗に入店することができる。
【００５７】
次に、図５のシーケンスチャートを参照して、利用者端末４０からの順番待ちを示す順番待ち情報を登録する際の情報管理システムの処理手順について説明する。
【００５８】
ここで、上記したように店舗に来店した利用者は第１店舗端末２０を操作することによって店舗に対する順番待ちをすることができるが、店舗に来店していない利用者は、利用者端末４０から順番待ちをすることができる。
【００５９】
まず、対象利用者が利用者端末４０から順番待ちをする場合、当該対象利用者は、所定のＷｅｂページ（サイト）において当該対象利用者に割り当てられているログインＩＤ及びパスワード（以下、対象利用者のログインＩＤ及びパスワードと表記）を入力することによって、情報管理システム（情報管理装置１０）にログインする（ステップＳ１１）。
【００６０】
なお、対象利用者のログインＩＤ及びパスワードは、対象利用者が例えば会員登録等を行う際に設定される。対象利用者のログインＩＤ及びパスワードは、情報管理装置１０において管理されているものとする。これにより、図５においては示されていないが、利用者端末４０において入力されたログインＩＤ及びパスワードは当該利用者端末４０から情報管理装置１０に送信され、当該ログインＩＤ及びパスワードが情報管理装置１０で管理されている対象利用者のログインＩＤ及びパスワードと一致する場合に、対象利用者は、情報管理システムにログインすることができる。
【００６１】
ステップＳ１１において情報管理システムにログインした場合、対象利用者は、上記した第１店舗端末２０からの順番待ちと同様に、利用者端末４０を操作することによって店舗への入店予定時間を入力（指定）することができる。
【００６２】
この場合、上記したように店舗に入店する人数や例えば店舗に対する要望（席種別）等を更に入力することができるものとする。
【００６３】
上記したように対象利用者によって入店予定時間が入力された場合、利用者端末４０は、当該入店予定時間を取得する（ステップＳ１２）。ここでは、入店予定時間以外に、上記した人数及び席種別も取得されたものとする。
【００６４】
ステップＳ１２の処理が実行されると、利用者端末４０は、取得された入店予定時刻、人数及び席種別を含む受付要求を、ネットワーク５０を介して情報管理装置１０に送信する（ステップＳ１３）。
【００６５】
情報管理装置１０に含まれる受付部１０１は、利用者端末４０によって送信された受付要求を受信する。これにより、受付部１０１は、利用者端末４０からの順番待ちを受け付ける。
【００６６】
次に、第２登録部１０３は、受付部１０１によって受け付けられた順番待ちを登録するために、当該順番待ちを示す順番待ち情報（以下、Ｗｅｂ順番待ち情報と表記）を生成する（ステップＳ１４）。
【００６７】
ここで、ステップＳ１４の処理について説明する。この場合、第２登録部１０３は、受付部１０１によって受け付けられた順番待ち（をする利用者）に対して受付場号を発行する。また、第２登録部１０３は、例えば現在時刻を登録時刻として取得する。更に、第２登録部１０３は、上記した順番待ちの経路の情報を取得する。ここでは、受付要求が利用者端末４０から受信されているため、第２登録部１０３は、経路の情報として、利用者端末４０からの順番待ちであることを示す「Ｗｅｂ」を取得する。
【００６８】
これにより、第２登録部１０３は、受付部１０１によって受信された受付要求に含まれる入店予定時間、人数及び席種別に加えて、上記した受付番号、登録時刻及び経路を含むＷｅｂ順番待ち情報を生成する。
【００６９】
上記したようにステップＳ１４において生成されたＷｅｂ順番待ち情報は、第２登録部１０３によって順番待ち情報格納部に登録される（ステップＳ１５）。
【００７０】
ステップＳ１５においてＷｅｂ順番待ち情報が登録されると、当該登録が完了した旨の通知（登録完了通知）が情報管理装置１０から利用者端末４０に送信される（ステップＳ１６）。なお、この登録完了通知は、登録されたＷｅｂ順番待ち情報に含まれる受付番号及び入店予定時間を含み、例えば会員登録時に登録されている対象利用者のメールアドレスを用いてメールで送信される。
【００７１】
この場合、利用者端末４０は、情報管理装置１０から送信された登録完了通知（メール）を受信し、当該登録完了通知に含まれる受付番号及び入店予定時間を表示することができる（ステップＳ１７）。登録完了通知は、利用者端末４０（例えば、スマートフォン等）上で動作するアプリケーションにおけるＰｕｓｈ通知により利用者端末４０に表示（通知）されても構わない。
【００７２】
利用者端末４０からの順番待ちの場合、対象利用者は、ステップＳ１７において表示された入店予定時間に店舗に来店し、受付番号に基づいて店舗のスタッフに呼び出されることによって、当該店舗に入店することができる。
【００７３】
ここで、図６は、上記した図４及び図５に示す処理が実行されることによって順番待ち情報格納部に登録された順番待ち情報のデータ構造の一例を示す。
【００７４】
図６に示す例では、順番待ち情報格納部には、順番待ち情報１０７ａ〜１０７ｆが格納（登録）されている。図６に示すように、順番待ち情報には、受付番号、入店予定時間、人数、席種別、登録時刻及び経路（の情報）が含まれる。なお、受付番号、入店予定時間、人数、席種別、登録時刻及び経路については、上記した通りであるため、ここではその詳しい説明を省略する。
【００７５】
なお、順番待ち情報１０７ａ〜１０７ｆは、例えば情報管理装置１０（受付部１０１）によって順番待ちが受け付けられた順（つまり、登録時刻順）に格納されている。
【００７６】
順番待ち情報１０７ａ〜１０７ｆのうち、経路「店舗」を含む順番待ち情報１０７ａ、１０７ｂ、１０７ｄ及び１０７ｆは、第１店舗端末２０からの順番待ちを示す順番待ち情報（店舗順番待ち情報）である。
【００７７】
また、順番待ち情報１０７ａ〜１０７ｆのうち、経路「Ｗｅｂ」を含む順番待ち情報１０７ｃ及び１０７ｅは、利用者端末４０からの順番待ちを示す順番待ち情報（Ｗｅｂ順番待ち情報）である。
【００７８】
ここで、本実施形態における情報管理システムにおいては、順番待ちをしている利用者を店舗に案内する（入店させる）ために店舗のスタッフが当該利用者を呼び出す必要がある。このため、第２店舗端末３０には、店舗のスタッフが利用者を呼び出す際に参照されるスタッフ画面が表示される。なお、スタッフ画面には、順番待ち情報の一覧（順番待ちの状況）が表示される。
【００７９】
以下、図７のシーケンスチャートを参照して、第２店舗端末３０に順番待ち情報（スタッフ画面）を表示する際の情報管理システムの処理手順について説明する。
【００８０】
第２店舗端末３０に順番待ち情報を表示する場合、当該第２店舗端末３０から情報管理装置１０に上記したスタッフ画面の表示（または更新）を要求する（ステップＳ２１）。このステップＳ２１の処理は、例えば店舗のスタッフによる第２店舗端末３０に対する操作が行われた場合、または予め定められた期間、第２店舗端末３０に対する操作が行われなかった場合に実行される。
【００８１】
管理部１０４は、第２店舗端末３０からの要求に応じて、順番待ち情報格納部に格納（登録）されている順番待ち情報を取得する（ステップＳ２２）。
【００８２】
次に、管理部１０４は、ステップＳ２２において取得された順番待ち情報を表示するためのスタッフ画面を生成する（ステップＳ２３）。
【００８３】
なお、ステップＳ２３において生成されるスタッフ画面において、ステップＳ２２において取得された順番待ち情報は、当該順番待ち情報に含まれる入店予定時間に基づいて並び替えて表示される。
【００８４】
表示処理部１０５は、ステップＳ２３において生成されたスタッフ画面を第２店舗端末３０に表示するための画面データを第２店舗端末３０に送信する（ステップＳ２４）。
【００８５】
第２店舗端末３０は、表示処理部１０５によって送信された画面データを受信する。これにより、第２店舗端末３０においては、スタッフ画面が表示される（ステップＳ２５）。なお、このスタッフ画面は、例えば第２店舗端末３０上で動作するブラウザを介して表示される。
【００８６】
ここで、図８は、第２店舗端末３０に表示されるスタッフ画面の一例を示す。なお、図８においては、図６に示す順番待ち情報格納部に格納されている順番待ち情報１０７ａ〜１０７ｆが表示されたスタッフ画面２００を示している。
【００８７】
図８に示すスタッフ画面２００においては、順番待ち情報１０７ａ〜１０７ｆが入店予定時間が早い順に上から表示されている。なお、順番待ち情報１０７ｃは、順番待ち情報１０７ｄよりも登録時刻は早いが、入店予定時間が当該順番待ち情報１０７ｄよりも遅い時間であるため、当該順番待ち情報１０７ｄよりも下に表示されている。同様に順番待ち情報１０７ｅは、順番待ち情報１０７ｆよりも登録時刻は早いが、入店予定時間が当該順番待ち情報１０７ｆよりも遅い時間であるため、当該順番待ち情報１０７ｆよりも下に表示されている。
【００８８】
なお、店舗順番待ち情報によって示される順番待ちは第１店舗端末２０を操作することによって登録されているため、当該順番待ちをしている利用者は付近に待機している可能性が高いが、Ｗｅｂ順番待ち情報によって示される順番待ちは利用者端末４０を操作することによって登録されているため、当該順番待ちをしている利用者はまだ店舗に来店していない可能性がある。このような点を考慮して店舗のスタッフが利用者の不在等を判断することができるように、スタッフ画面２００においてＷｅｂ順番待ち情報１０７ｃ及び１０７ｅは、他の店舗順番待ち情報１０７ａ、１０７ｂ、１０７ｄ及び１０７ｆと区別可能な態様で表示されている。これによれば、店舗のスタッフはＷｅｂ順番待ち情報の存在を容易に把握することができる。
【００８９】
店舗のスタッフは、このようなスタッフ画面２００を参照して、当該スタッフ画面２００に表示されている入店予定時間となった順番待ち情報に含まれる受付番号を順次呼び出すことによって、当該受付番号が印刷された順番待ちカードを所持する利用者または当該受付番号が表示された利用者端末４０を所持する利用者を店舗に入店させることができる。
【００９０】
なお、図８に示すようにスタッフ画面２００には、各順番待ち情報に対応づけて「案内」ボタン２０１及び「不在」ボタン２０２が設けられている（表示されている）。
【００９１】
ここで、例えば図８に示すようにスタッフ画面２００に順番待ち情報１０７ａ〜１０７ｆが表示されている場合において、店舗のスタッフが順番待ち情報１０７ａに含まれる受付番号「１」を呼び出した場合を想定する。
【００９２】
この場合に、受付番号「１」が印刷された順番待ちカードを所持する利用者が付近に待機しており、当該利用者を店舗に案内した（入店させた）場合には、店舗のスタッフは、スタッフ画面２００において順番待ち情報１０７ａに対応づけて表示されている「案内」ボタン２０１を押下する。
【００９３】
一方、受付番号「１」が印刷された順番待ちカードを所持する利用者が付近に待機しておらず、当該利用者を店舗に案内することができない場合には、店舗のスタッフは、スタッフ画面２００において順番待ち情報１０７ａに対応づけて表示されている「不在」ボタン２０２を押下する。
【００９４】
なお、「不在」ボタン２０２が押下された順番待ち情報１０７ａによって示される順番待ちをしている利用者は、予め定められた期間内に再度来店すれば入店することができるが、例えば予め定められた期間を経過した場合にはキャンセルしたものとして扱われるものとする。この場合、順番待ち情報１０７ａはスタッフ画面２００から削除される。
【００９５】
受付番号「１」が印刷された順番待ちカードを所持する利用者が不在である間に、順番待ち情報１０７ｂに含まれる入店予定時間となった場合には、当該利用者よりも前に、順番待ち情報１０７ｂに含まれる受付番号「２」（が印刷された順番待ちカードを所持する利用者）が呼び出される。
【００９６】
上記した図６においては省略されているが、順番待ちのステータス（例えば、「案内済み」、「不在」及び「キャンセル」等）は、順番待ち情報に含まれる（登録される）ものとする。これにより、図８に示すスタッフ画面２００においては、順番待ちのステータスが「案内済み」及び「キャンセル」以外の順番待ち情報を表示することができる。なお、順番待ちのステータスが「不在」である順番待ち情報については、上記した順番待ちのステータスが「案内済み」及び「キャンセル」以外の順番待ち情報とともにスタッフ画面２００に表示されてもよいし、当該スタッフ画面２００とは別の画面で表示されるようにしてもよい。
【００９７】
ここで、上記したようにスタッフ画面２００において例えば順番待ち情報１０７ａに対応づけられている「案内」ボタン２０１を押下する操作が行われた場合を想定する。この場合、順番待ち情報１０７ａによって示される順番待ちのステータスは「案内済み」となる。なお、このように第２店舗端末３０に対して操作が行われた場合には、図７に示す処理が再度実行されることによってスタッフ画面（の表示）が更新されるが、ステップＳ２２においては上記したようにステータスが「案内済み」である順番待ち情報は取得されない（つまり、スタッフ画面には表示されない）。
【００９８】
一方、順番待ち情報１０７ａに対応づけられている「不在」ボタン２０２を押下する操作が行われた場合には、順番待ち情報１０７ａによって示される順番待ちのステータスは「不在」となる。また、このように順番待ちのステータスが「不在」となった後、予め定められた期間が経過した場合には、順番待ち情報１０７ａによって示される順番待ちのステータスは「キャンセル」となる。
【００９９】
ここで、本実施形態においては、上記したように第１店舗端末２０または利用者端末４０からの順番待ちをすることによって、指定された入店予定時間に利用者が店舗に入店することが可能となるように順番待ちが管理される。
【０１００】
しかしながら、利用者に所望の時刻（例えば、１２時３０分のような時の流れの１点）を入店予定時間として指定させた場合、店舗が混雑しているような状況においては、当該入店予定時間に当該利用者を入店させることができない場合がある。
【０１０１】
このため、本実施形態においては、予め定められた幅（長さ）を有する時間帯を示す入店予定時間を利用者に指定させ、当該時間帯の範囲で利用者を店舗に入店させるものとする。
【０１０２】
具体的には、本実施形態においては、利用者が指定する入店予定時間を枠という概念で設定する。例えば単位時間（１時間当たり）の枠数を４とする場合、利用者は、１５分間の時間帯で入店予定時間を指定することができる。すなわち、順番待ちをしようとする利用者は、例えば「１２時００分〜１５分」、「１２時１５分〜３０分」、「１２時３０分〜４５分」、「１２時４５分〜１３時００分」のような時間帯で入店予定時間を指定することができる。
【０１０３】
ここでは、１時間当たりの枠数を４とした場合について説明したが、１時間当たりの枠数を６とした場合には、例えば「１２時００分〜１０分」、「１２時１０分〜２０分」、「１２時２０分〜３０分」、「１２時３０分〜４０分」、「１２時４０分〜５０分」、「１２時５０分〜１３時００分」のような１０分間の時間帯で入店予定時間を指定することができる。更に、１時間当たりの枠数を２とした場合には、例えば「１２時００分〜３０分」、「１２時３０分〜１３時００分」のような３０分間の時間帯で入店予定時間を指定することができる。
【０１０４】
図９は、上記した枠数を設定するための画面（以下、枠数設定画面と表記）の一例を示す。この枠数は、利用者によって指定される入店予定時間の幅（長さ）を定めるための設定値である。なお、枠数の設定は、例えば情報管理装置１０（つまり、情報管理システムの運営者）側で行われるが、第２店舗端末３０（つまり、店舗のスタッフ）側で行われてもよい。
【０１０５】
図９に示すように、枠数設定画面３００は、例えば「平日Ａ」、「平日Ｂ」、「休日Ａ」及び「休日Ｂ」のパターン毎に１時間当たりの枠数を設定することができるように構成されている。なお、「平日Ａ」は、翌日も平日である平日を示している。「平日Ｂ」は、翌日が休日である平日を示している。「休日Ａ」は、翌日も休日である休日を示している。「休日Ｂ」は、翌日が平日である休日を示している。土曜日を休日として扱うものとすると、一般的には、「平日Ａ」には月曜日から木曜日が該当し、「平日Ｂ」は金曜日が該当し、「休日Ａ」には土曜日が該当し、「休日Ｂ」には日曜日が該当する。なお、祝日（休日）が存在する場合には、各パターンに該当する曜日は変動する。
【０１０６】
例えばファミリー向けの飲食店においては平日（つまり、「平日Ａ」及び「平日Ｂ」）よりも休日（つまり、「休日Ａ」及び「休日Ｂ」）の方が混雑する傾向にあるし、居酒屋のような飲食店であれば、通常の平日（つまり、「平日Ａ」）よりも休日前の平日（つまり、「平日Ｂ」）の方が混雑する傾向にある。このため、本実施形態においては、単に曜日だけではなく、次の日の曜日（平日または休日）をも考慮したパターン毎に枠数を設定することができるものとする。
【０１０７】
ここで、「平日Ａ」（のパターン）について枠数を設定する場合について具体的に説明する。枠数設定画面３００には、「平日Ａ」に対応づけて１時間当たりの枠数を設定するための第１設定欄３０１が設けられている。この第１設定欄３０１にはプルダウンボタン３０１ａが設けられており、当該プルダウンボタン３０１ａが指定された場合には、選択可能な枠数の一覧が表示される。このプルダウンボタン３０１ａにおいては、例えば「１枠（６０分間）」、「２枠（３０分間）」、「３枠（２０分間）」、「４枠（１５分間）」、「６枠（１０分間）」、「１２枠（５分間）」等を枠数として選択可能であるが、これらのうちの１つ以上が省略されていてもよいし、これら以外の枠数を選択可能であってもよい。
【０１０８】
図９においては、プルダウンボタン３０１ａにおいて「４枠（１５分間）」が選択（設定）されていることが示されている。これによれば、「平日Ａ」に該当する日付においては、利用者に１５分間の幅の入店予定時間を指定させることになる。
【０１０９】
また、枠数設定画面３００には、１時間当たりに割り当てられる順番待ち情報の数を設定する第２設定欄３０２が設けられている。この第２設定欄３０２に設定することが可能な数の最大値は６０であり、最小値は１である。
【０１１０】
更に、枠数設定画面３００には、第２設定欄３０２において設定された数（つまり、１時間当たりに割り当てられた順番待ち情報の数）のうち、実際に第１店舗端末２０及び利用者端末４０から登録可能な順番待ち情報の数の割合を設定する第３設定欄３０３が設けられている。この第３設定欄３０３に設定することが可能な数の最大値は１００（％）であり、最小値は０（％）である。
【０１１１】
以下、図１０及び図１１を参照して、上記した枠数設定画面３００に対する設定値について具体的に説明する。図１０及び図１１において示される１つの矩形形状のブロックは、第１設定欄３０１において設定されている枠数によって定められる幅を有する入店予定時間に対して割り当てられている順番待ち情報のうちの１つを示している。
【０１１２】
例えば第１設定欄３０１（プルダウンボタン３０１ａ）において「４枠（１５分間）」が設定されており、第２設定欄３０２において「６０」が設定されている場合を想定する。この場合、図１０に示すように、例えば１２時００分〜１５分までの１５分間の入店予定時間に対しては、１５個の順番待ち情報が割り当てられる。更に、第３設定欄３０３において「１００％」が設定されている場合には、１２時００分〜１５分までの入店予定時間に割り当てられている１５個の順番待ち情報の全てについて第１店舗端末２０及び利用者端末４０から登録可能となる。なお、図１０においては１２時００〜１５分までの入店予定時間についてのみが示されているが、店舗における営業開始から営業終了までの他の入店予定時間（１５分間）についても同様である。
【０１１３】
一方、第１設定欄３０１（プルダウンボタン３０１ａ）において「６枠（１０分間）」が設定されており、第２設定欄３０２において「６０」が設定されている場合を想定する。この場合、図１１に示すように、例えば１２時００分〜１０分までの１０分間の入店予定時間に対しては、１０個の順番待ち情報が割り当てられる。更に、第３設定欄３０３において「５０％」が設定されている場合には、１２時００分〜１０分までの入店予定時間に割り当てられている１０個の順番待ち情報のうち、５個の順番待ち情報までは第１店舗端末２０及び利用者端末４０から登録可能となる。
【０１１４】
ここで、本実施形態において、利用者は、例えば店舗に電話を掛けて入店予定時間を指定することによっても順番待ちをすることができるものとする。この場合には、利用者からの電話を受けた店舗のスタッフが第２店舗端末３０を操作することによって順番待ち情報を登録することができるものとする。上記したように１２時００分〜１０分までの入店予定時間には１０個の順番待ち情報が割り当てられているが、第１店舗端末２０及び利用者端末４０からの順番待ち情報以外の順番待ち情報（つまり、１２時００分〜１０分までの入店予定時間に割り当てられている１０個の順番待ち情報のうちの残りの５個の順番待ち情報）としては、上記した第２店舗端末３０からの順番待ち情報を登録するようにしてもよい。
【０１１５】
なお、図１１においては１２時００分〜１０分までの入店予定時間についてのみが示されているが、店舗における営業開始から営業終了までの他の入店予定時間（１０分間）についても同様である。
【０１１６】
上記した図１０及び図１１において説明したように、本実施形態においては同一の入店予定時間を指定した複数の順番待ち情報を登録可能である。このような同一の入店予定時間を指定した複数の順番待ち情報については、登録された時刻（順番待ち情報に含まれる登録時刻）が早いほど優先度が高いものとする。優先度が高い順番待ち情報は、上記したスタッフ画面において同一の入店予定時間を指定した他の順番待ち情報よりも上位に表示される（つまり、先に呼び出される）ものとする。
【０１１７】
ここでは「平日Ａ」についての設定について説明したが、枠数設定画面３００においては、他のパターン（「平日Ｂ」、「休日Ａ」及び「休日Ｂ」）についても同様に設定することが可能である。
【０１１８】
なお、図９においては「平日Ａ」、「平日Ｂ」、「休日Ａ」及び「休日Ｂ」のパターン毎に設定できるものとして説明したが、平日及び休日に依存することなく、一律に枠数等が設定されるようにしてもよい。また、これらのパターン（に該当する日付）における時間帯毎に異なる枠数が設定されるようにしてもよい。この場合には、例えば「平日Ａ」に該当する日付の午前中の枠数は４とし、午後の枠数は６とするような設定が可能となる。更に、通常とは異なる状況となると想定される（例えば、店舗の近傍でイベントがある等の）場合には、上記したパターンとは関係のない個別の設定が適用される構成としても構わない。
【０１１９】
上記した枠数設定画面３００において設定された内容（１時間当たりの枠数、１時間当たりに割り当てられる順番待ち情報の数及び実際に登録可能な順番待ち情報の数の割合）を示す設定情報は、上記した設定情報格納部に格納（登録）される。すなわち、設定情報格納部には、枠数によって定められる幅の入店予定時間毎に登録可能な順番待ち情報の数を示す設定情報が格納される。なお、この枠数設定画面３００を介した各種設定に関する処理は、設定部１０６によって実行される。
【０１２０】
本実施形態においては、上記したように設定情報格納部に格納された設定情報を用いて、利用者に入店予定時間を指定させることができる。
【０１２１】
以下、利用者による入店予定時間の指定に関する処理について具体的に説明する。まず、図４において説明した第１店舗端末２０からの順番待ちを示す順番待ち情報を登録する際に利用者によって入店予定時間が指定される場合について説明する。
【０１２２】
第１店舗端末２０からの順番待ちを示す順番待ち情報を登録する場合、図４において説明したように、第１店舗端末２０には受付画面が表示されている。
【０１２３】
ここで、図１２に示すフローチャートを参照して、第１店舗端末２０に受付画面を表示するための情報管理装置１０の処理手順について説明する。なお、図１２に示す処理は、例えば上記した図４及び図５に示す処理が実行されることによって順番待ち情報が順番待ち情報格納部に登録される（つまり、順番待ち情報格納部が更新される）度に実行される。
【０１２４】
まず、情報管理装置１０に含まれる管理部１０４は、上記した設定情報格納部に格納されている設定情報を取得する（ステップＳ３１）。
【０１２５】
次に、管理部１０４は、現在の日付に該当する入店予定時間を含む順番待ち情報（現在の日付においてされている順番待ちを示す順番待ち情報）を、順番待ち情報格納部から取得する（ステップＳ３２）。ステップＳ３２においては、複数の順番待ち情報が取得されても構わない。
【０１２６】
管理部１０４は、ステップＳ３１において取得された設定情報及びステップＳ３２において取得された順番待ち情報に基づいて、現時点で順番待ちを開始する利用者が指定することが可能な入店予定時間のうち直近の入店予定時間を特定する（ステップＳ３３）。
【０１２７】
ここで、ステップＳ３１において取得された設定情報によって示される現在の日付及び曜日に該当するパターンに対する設定内容によれば、上記した枠数によって定められる幅を有する各入店予定時間を指定して登録可能な順番待ち情報（つまり、当該入店予定時間を含む順番待ち情報）の数を特定することができる。
【０１２８】
また、ステップＳ３２において取得された順番待ち情報に含まれる入店予定時間によれば、各入店予定時間を指定して既に登録されている順番待ち情報の数を特定することができる。
【０１２９】
管理部１０４は、上記した設定情報によって特定される各入店予定時間を指定して登録可能な順番待ち情報の数と当該入店予定時間を指定して既に登録されている順番待ち情報の数とを比較することによって、新たに順番待ち情報を登録可能な入店予定時間（つまり、順番待ちをする際に利用者が指定することが可能な入店予定時間）を特定することができる。なお、ある入店予定時間を指定して既に登録されている順番待ち情報の数が、設定情報によって特定される当該入店予定時間を指定して登録可能な順番待ち情報の数に達していない場合には、当該入店予定時間は、利用者が指定することが可能な入店予定時間として特定することができる。管理部１０４は、このような処理を現在時刻に近い時間帯から順次実行することによって、直近の（利用者が指定することが可能な）入店予定時間を特定することができる。
【０１３０】
管理部１０４は、ステップＳ３３において特定された直近の入店予定時間を表示し、当該直近の入店予定時間を含む順番待ち情報の登録を利用者に対して促すための受付画面を生成する（ステップＳ３４）。
【０１３１】
表示処理部１０５は、ステップＳ３４において生成された受付画面を第１店舗端末２０に表示するための画面データを第１店舗端末２０に送信する（ステップＳ３５）。
【０１３２】
上記した図１２に示す処理が実行されることによって、情報管理装置１０（表示処理部１０５）から送信された画面データは、第１店舗端末２０において受信される。これにより、上記した図４に示すステップＳ１において受付画面が第１店舗端末２０に表示される。
【０１３３】
ここで、図１３は、第１店舗端末２０に表示される受付画面の一例を示す。図１３に示す例では、受付画面４００には、受付ボタン４０１が設けられている。また、受付画面４００には、上記した直近の入店予定時間を表示する領域４０２が設けられている。図１３に示す例では、直近の入店予定時間が「１２時３０分〜４５分」であることが示されている。
【０１３４】
店舗に来店した利用者は、領域４０２に表示されている直近の入店予定時間を確認し、順番待ちを開始する場合には、受付ボタン４０１を押下する（タッチする）操作を行う。
【０１３５】
この場合には、領域４０２に表示されている直近の入店予定時間が利用者によって指定されたものとして上記した図４に示すステップＳ２以降の処理が実行される。これにより、直近の入店予定時間を含む順番待ち情報が登録される。
【０１３６】
図１３に示す例では、このように第１店舗端末２０から順番待ち情報を登録する利用者は、入店予定時間「１２時３０分〜４５分」を指定して順番待ちを開始することができる。
【０１３７】
なお、上記したように第１店舗端末２０から順番待ち情報を登録する場合、利用者は店舗に来店しているため、直近の入店予定時間を指定して順番待ちを開始する場合が多い。しかしながら、第１店舗端末２０から順番待ち情報を登録する場合であっても、利用者が直近の入店予定時間以外の入店予定時間を指定して順番待ち情報を登録することを希望する可能性はある。
【０１３８】
このため、本実施形態においては、上記した受付画面から直近の入店予定時間以外の入店予定時間を指定することも可能であるものとする。
【０１３９】
具体的には、例えば図１３に示す受付画面（以下、第１受付画面と表記）４００において受付ボタン４０１が利用者によって押下された場合には、第１店舗端末２０に表示される画面は、当該第１受付画面４００から図１４に示す第２受付画面５００に遷移する。
【０１４０】
図１４に示すように、第２受付画面５００には、第１ボタン５０１及び第２ボタン５０２が設けられている。第１ボタン５０１は、直近の入店予定時間に対応づけて設けられており、当該直近の入店予定時間を含む順番待ち情報を登録する（つまり、直近の入店予定時間を指定して順番待ちを開始する）ためのボタンである。第１ボタン５０１が利用者によって押下された場合には、上記した図４に示すステップＳ２において直近の入店予定時間が取得されて、以降の処理が実行されればよい。
【０１４１】
一方、第２ボタン５０２は、上記したように直近の入店予定時間以外の入店予定時間を含む順番待ち情報を登録する（つまり、直近の入店予定時間以外の入店予定時間を指定して順番待ちを開始する）ためのボタンである。第２ボタン５０２が利用者によって押下された場合、第１店舗端末２０に表示される画面は、第２受付画面５００から図１５に示す第３受付画面６００に遷移する。
【０１４２】
第３受付画面６００においては、例えば現在時刻よりも後の時間帯が１時間単位で割り当てられた複数のボタンが設けられている。図１５に示す例では、第３受付画面６００には、１３時（〜１４時）が割り当てられたボタン６０１、１４時（〜１５時）が割り当てられたボタン６０２、１５時（〜１６時）が割り当てられたボタン６０３、１６時（〜１７時）が割り当てられたボタン６０４、１７時（〜１８時）が割り当てられたボタン６０５が設けられている。利用者は、この第３受付画面６００において、当該利用者の希望する入店予定時間に対応する時間が割り当てられている（当該時間が表示されている）ボタンを押下する。なお、図１５においては１３時〜１７時の各々が割り当てられたボタン６０１〜６０５のみが示されているが、第３受付画面６００には、店舗の営業が終了するまでの他の時間が割り当てられたボタンが更に表示されていてもよい。
【０１４３】
第３受付画面６００においてボタンが押下された場合、当該ボタンに割り当てられている時間の情報が第１店舗端末２０から情報管理装置１０に送信される。例えば第３受付画面６００においてボタン６０２が押下された場合には、ボタン６０２に割り当てられている１４時（を示す情報）が送信される。
【０１４４】
この場合、情報管理装置１０においては、設定情報格納部に格納されている設定情報及び順番待ち情報格納部に格納されている順番待ち情報に基づいて、１４時台の各入店予定時間について、利用者が指定することが可能な入店可能時間であるか否かを判定する。なお、利用者が指定することが可能な入店予定時間については、上記した通りであるため、ここではその詳しい説明を省略する。
【０１４５】
情報管理装置１０は、１４時台の各入店予定時間のうち利用者が指定することが可能な入店予定時間（の情報）を表示するための第４受付画面を生成し、当該第４受付画面の画面データを第１店舗端末２０に送信する。
【０１４６】
これにより、第１店舗端末２０においては、第４受付画面が表示される。図１６は、第４受付画面の一例である。図１６に示す第４受付画面７００には、第３受付画面６００において利用者によって押下された時間帯（ここでは、１４時台）の各入店予定時間が割り当てられた複数のボタンが設けられている（表示されている）。
【０１４７】
図１６に示す例では、第４受付画面７００には、１４時００分〜１４時１５分の入店予定時間が割り当てられたボタン７０１、１４時１５分〜１４時３０分の入店予定時間が割り当てられたボタン７０２、１４時３０分〜１４時４５分の入店予定時間が割り当てられたボタン７０３、及び１４時４５分〜１５時００分の入店予定時間が割り当てられたボタン７０４が設けられている。
【０１４８】
ここで、これらの入店予定時間のうち、上記した利用者が指定することが可能な入店予定時間は、「１４時３０分〜１４時４５分」及び「１４時４５分〜１５時００分」であるものとする。この場合、第４受付画面７００においては、ボタン７０３及び７０４は利用者が押下（選択）することができる状態で表示されているが、ボタン７０１及び７０２は利用者が押下（選択）することができない状態で表示されている。
【０１４９】
このような第４受付画面７００において、利用者は、当該利用者が指定することが可能な入店予定時間のうちの１つ（ここでは、「１４時３０分〜１４時４５分」または「１４時４５分〜１５時００分」）を入店予定時間として指定することができる。
【０１５０】
上記した第１〜第４受付画面によれば、第１店舗端末２０から順番待ち情報を登録する場合であっても、直近の入店予定時間以外の入店予定時間を指定して順番待ち情報を登録する（順番待ちを開始する）ことも可能である。
【０１５１】
次に、図１７のシーケンスチャートを参照して、図５において説明した利用者端末４０からの順番待ちを示す順番待ち情報を登録する際に利用者によって入店予定時間が指定される場合の処理について説明する。なお、図５においては省略されているが、図１７に示す処理は、図５に示すステップＳ１１及びＳ１２の処理の間に実行される。
【０１５２】
上記したように第１店舗端末２０から順番待ち情報を登録する場合、利用者は店舗に来店しているため、直近の入店予定時間を指定して順番待ちを開始する場合が多い。しかしながら、利用者端末４０から順番待ち情報を登録する場合、利用者は店舗に来店していない状態である場合が多く、直近の入店予定時間に店舗に到着できない等の理由のために当該直近の入店予定時間よりも遅い時間帯の入店予定時間を指定する場合も多い。また、利用者端末４０を操作している日（現在の日付）とは別の日に店舗を利用しようとしている場合もあり得る。
【０１５３】
このため、利用者端末４０は、図５に示すステップＳ１１の処理が実行された場合、利用者が店舗を利用する日付を選択するための画面（以下、第１選択画面と表記）を表示する（ステップＳ４１）。
【０１５４】
ここで、図１８は、第１選択画面の一例を示す。図１８に示すように、第１選択画面８００には、例えば現在の日付から一定期間（数週間から１か月程度）内の日付がそれぞれ割り当てられた複数のボタンが設けられている。なお、図１８に示す第１選択画面８００に設けられているボタン上に表示されている「○」は、当該ボタンに割り当てられている日付が利用者が店舗を利用する（または順番待ち情報を登録する）ことが可能な日付であることを示している。図１８には示されていないが、ボタン上に「△」（または「×」）が表示されている場合には、当該ボタンに割り当てられている日付においては利用者端末４０から順番待ちをすることができないことが示される。
【０１５５】
再び図１７に戻ると、利用者端末４０において第１選択画面が表示された場合、利用者は、第１選択画面において利用者が店舗を利用する日付が割り当てられているボタンを押下することによって当該日付を選択することができる。
【０１５６】
利用者によって第１選択画面上のボタンが押下された場合、利用者端末４０は、当該ボタンに割り当てられている日付（以下、対象日と表記）を取得する（ステップＳ４２）。
【０１５７】
利用者端末４０は、ステップＳ４２において取得された対象日（を示す情報）を情報管理装置１０に送信する（ステップＳ４３）。ステップＳ４３において送信された対象日は、情報管理装置１０において受信される。
【０１５８】
次に、管理部１０４は、設定情報格納部に格納されている設定情報を取得する（ステップＳ４４）。
【０１５９】
また、管理部１０４は、対象日に該当する入店予定時間を含む順番待ち情報を、順番待ち情報格納部から取得する（ステップＳ４５）。
【０１６０】
管理部１０４は、ステップＳ４４において取得された設定情報及びステップＳ４５において取得された順番待ち情報に基づいて、対象日において利用者が指定することが可能な入店予定時間を特定する（ステップＳ４６）。なお、ステップＳ４６において特定される利用者が指定することが可能な入店予定時間は、上記した図１２に示すステップＳ３３において説明した通りであるため、その詳しい説明を省略する。
【０１６１】
管理部１０４は、ステップＳ４６において特定された入店予定時間を表示し、当該入店予定時間のうちの１つを利用者に選択（指定）させるための画面（以下、第２選択画面と表記）を生成する（ステップＳ４７）。
【０１６２】
表示処理部１０５は、ステップＳ４７において生成された第２選択画面を利用者端末４０に表示するための画面データを利用者端末４０に送信する（ステップＳ４８）。
【０１６３】
これにより、利用者端末４０には、第２選択画面が表示される（ステップＳ４９）。利用者は、利用者端末４０に表示された第２選択画面において入店予定時間を選択（指定）することができる。
【０１６４】
ここで、図１９は、第２選択画面の一例を示す。図１９に示すように、第２選択画面９００には、上記した設定情報（枠数）によって定められる幅の入店予定時間の各々が割り当てられた複数のボタンが設けられている。図１９に示す例えばボタン９０１は、入店予定時間「１１時００分〜１５分」が割り当てられたボタンである。また、例えばボタン９０２は、入店予定時間「１３時４５分〜１４時００分」が割り当てられたボタンである。これらのボタン９０１及び９０２以外のボタンについても同様に他の入店予定時間が割り当てられている。
【０１６５】
また、図１９に示す第２選択画面９００において、各入店予定時間が割り当てられた複数のボタンは、利用者が指定することが可能な入店予定時間と、既に他の順番待ち情報が登録されていることにより利用者が指定することができない入店予定時間とを容易に判別することが可能な態様で表示される。図１９に示す例では、例えば１１時台の４つの時間帯と、１２時００分〜１２時３０分までの２つの入店予定時間とが、利用者が指定することができない入店予定時間として示されている。
【０１６６】
このような第２選択画面において、利用者は、１２時３０分以降の入店予定時間のうち、所望の入店予定時間が割り当てられたボタンを押下することによって、当該入店予定時間を選択することができる。
【０１６７】
このように利用者によって選択された入店予定時間は図５に示すステップＳ１２において利用者端末４０によって取得され、図５に示すステップＳ１３以降の処理が実行される。
【０１６８】
上記した図１７に示す処理が実行されることによって、利用者端末４０を介して、設定情報（枠数）によって定められた幅の入店予定時間を利用者に指定させることができる。
【０１６９】
上記したように本実施形態においては、利用者に予め定められた長さ（幅）の時間帯を示す入店予定時間を指定させ、第１店舗端末２０または利用者端末４０（第１端末装置）に対する利用者の操作に応じて指定された入店予定時間を含む順番待ち情報を登録し、当該登録された順番待ち情報を第２店舗端末３０（第２端末装置）に表示する。
【０１７０】
ここで、例えば第１店舗端末２０または利用者端末４０を操作することによって利用者が順番待ちをする際に店舗を利用する１点の時刻（例えば、１２時３０分等）を指定した場合を想定する。この場合において、店舗の混雑等によって、実際に店舗に入店した（案内された）時刻が順番待ちをする際に指定した時刻よりも少しでも遅れてしまった場合には、利用者は不満を感じてしまうことが考えられる。
【０１７１】
これに対して、本実施形態の上記した構成によれば、利用者は予め定められているある一定の長さの時間帯（例えば、１２時３０分〜４５分等）を入店予定時間として指定しているため、店舗への入店（案内）が当該入店予定時間の範囲内であれば、利用者が不満と感じる程度は低く、利用者の満足度の低下を抑制することが可能となる。また、指定した時刻に確実に入店することができるとの利用者の誤解を防止することも可能である。更に、このような構成によれば、店舗に入店させる時間に余裕ができるため、店舗のスタッフは質の高いサービスを提供することができるようになり、当該店舗側にとっても利点がある。
【０１７２】
また、本実施形態においては、上記した入店予定時間毎に登録可能な順番待ち情報（つまり、各入店予定時間を指定して登録可能な順番待ち情報）の数を示す設定情報を格納しておき、当該設定情報に基づいて利用者が指定することが可能な入店予定時間が第１店舗端末２０または利用者端末４０に表示される。これにより、利用者は、第１店舗端末２０または利用者端末４０に表示された入店予定時間を選択することによって、容易に適切な入店予定時間を指定することができる。
【０１７３】
更に、本実施形態においては、利用者が指定することが可能な入店予定時間のうち最も早い入店予定時間（つまり、直近の入店予定時間）を第１店舗端末２０に表示することにより、店舗に来店して順番待ちを開始する利用者は、直近の入店予定時間を容易に把握して指定することが可能となる。
【０１７４】
なお、本実施形態においては、上記した枠数設定画面において枠数を設定することによって、利用者によって指定される入店予定時間の幅（長さ）を任意に設定することができる。すなわち、例えば混雑度合い（または回転率）等によって利用者の案内（入店）が遅れやすい状態の店舗では、入店予定時間の幅を大きく設定することができる。
【０１７５】
また、店舗によっては特定の時間帯においてのみ上記した利用者の案内の遅延が発生するような場合があるため、当該時間帯については入店予定時間の幅が自動的に大きくなるように予め設定されていてもよい。
【０１７６】
なお、利用者の案内が遅くなりやすい時間帯を予め設定しておくことが困難である場合には、店舗の混雑等によって予め設定された幅の入店予定時間内で利用者を入店させることが困難となってきた際に、第２店舗端末３０に対する店舗のスタッフの操作によって当該入店予定時間の幅（つまり、枠数の設定）を変更することができるようにしてもよい。具体的には、例えば第２店舗端末３０に表示される画面（例えば、スタッフ画面）上に所定のボタン等を設けておき、当該ボタンが店舗のスタッフによって押下された場合には、予め設定されている入店予定時間の幅が広くなるように設定が変更されるものとする。例えば枠数設定画面において枠数「４枠」が設定されている場合、当該枠数「４枠」が例えば「２枠」等に変更されればよい。
【０１７７】
また、本実施形態において第１店舗端末２０及び利用者端末４０から登録される順番待ち情報には、上記したように当該順番待ち情報によって示される順番待ちに対して発行された受付番号が含まれる。この受付番号は、図２０に示すように、例えば当該受付番号が発行された順番待ちを受け付ける際に指定された入店予定時間（つまり、当該受付番号を含む順番待ち情報に含まれる入店予定時間）を識別可能な番号（つまり、入店予定時間に対応する番号）であるものとする。具体的には、図２０に示すように、例えば受付番号が１０１〜１１０であれば、当該受付番号を含む順番待ち情報に含まれる入店予定時間は１１時００分〜１５分であることを把握できる。また、例えば受付番号が１３１〜１４０であれば、当該受付番号を含む順番待ち情報に含まれる入店予定時間は１１時４５分〜１２時００分であることを把握できる。
【０１７８】
なお、図２０に示す例では、各入店予定時間には１０個の受付番号が割り当てられているが、この受付番号の数は、上記したように各入店予定時間に割り当てられている順番待ち情報の数に応じて変更されてもよい。このように入店予定時間の各々を識別可能な受付番号を発行することにより、例えば店舗のスタッフは、当該受付番号に基づいて利用者によって指定された入店予定時間を直感的に把握することができる。
【０１７９】
これによれば、例えば店頭で利用者から受付番号が提示された店舗のスタッフは、当該利用者の入店予定時間を即座に案内するようなことが可能となる。更に、例えば店舗を利用した後に利用者から問い合わせがあった場合等においても、受付番号によって当該利用者が店舗を利用した時間帯を容易に把握することができるため有用である。
【０１８０】
なお、本実施形態においては利用者の店舗に対する順番待ちを示す順番待ち情報を一括して管理するものとして説明したが、当該順番待ち情報は、例えば上記した利用者が希望する席の種別（テーブル席、カウンター席及び座敷）毎に管理される構成であってもよい。この場合には、席の種別毎の順番待ち情報が一覧としてスタッフ画面に表示されればよい。
【０１８１】
なお、上記した実施形態に記載した手法は、コンピュータに実行させることのできるプログラムとして、磁気ディスク（フロッピー（登録商標）ディスク、ハードディスクなど）、光ディスク（ＣＤ−ＲＯＭ、ＤＶＤなど）光磁気ディスク（ＭＯ）、半導体メモリなどの記憶媒体に格納して頒布することもできる。
【０１８２】
また、この記憶媒体としては、プログラムを記憶でき、かつコンピュータが読み取り可能な記憶媒体であれば、その記憶形式は何れの形態であってもよい。
【０１８３】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施形態を実現するための各処理の一部を実行してもよい。
【０１８４】
更に、本発明における記憶媒体は、コンピュータと独立した媒体に限らず、ＬＡＮやインターネット等により伝送されたプログラムをダウンロードして記憶または一時記憶した記憶媒体も含まれる。
【０１８５】
また、記憶媒体は１つに限らず、複数の媒体から本実施形態における処理が実行される場合も本発明における記憶媒体に含まれ、媒体構成は何れの構成であってもよい。
【０１８６】
なお、本発明におけるコンピュータは、記憶媒体に記憶されたプログラムに基づき、本実施形態における各処理を実行するものであって、パソコン等の１つからなる装置、複数の装置がネットワーク接続されたシステム等の何れの構成であってもよい。
【０１８７】
また、本発明におけるコンピュータとは、パソコンに限らず、情報処理機器に含まれる演算処理装置、マイコン等も含み、プログラムによって本発明の機能を実現することが可能な機器、装置を総称している。
【０１８８】
なお、本願発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組合せてもよい。  
【符号の説明】
【０１８９】
１０…情報管理装置、１１…バス、１２…不揮発性メモリ、１３…ＣＰＵ、１４…メインメモリ、１５…通信部、２０…第１店舗端末、３０…第２店舗端末、４０…利用者端末、５０…ネットワーク、１０１…受付部、１０２…第１登録部、１０３…第２登録部、１０４…管理部、１０５…表示処理部、１０６…設定部、１０７…格納部。
【図１】
2019101568.tif 000003
【図２】
2019101568.tif 000004
【図３】
2019101568.tif 000005
【図４】
2019101568.tif 000006
【図５】
2019101568.tif 000007
【図６】
2019101568.tif 000008
【図７】
2019101568.tif 000009
【図８】
2019101568.tif 000010
【図９】
2019101568.tif 000011
【図１０】
2019101568.tif 000012
【図１１】
2019101568.tif 000013
【図１２】
2019101568.tif 000014
【図１３】
2019101568.tif 000015
【図１４】
2019101568.tif 000016
【図１５】
2019101568.tif 000017
【図１６】
2019101568.tif 000018
【図１７】
2019101568.tif 000019
【図１８】
2019101568.tif 000020
【図１９】
2019101568.tif 000021
【図２０】
2019101568.tif 000022
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
利用者の店舗に対する順番待ちを受け付ける際に当該利用者によって操作される第１端末装置及び前記店舗に設けられる第２端末装置と接続される情報管理装置において、
予め定められた長さの時間帯であって、前記利用者に指定させることが可能な入店予定時間を前記第１端末装置に表示する第１表示処理手段と、
前記第１端末装置を介して、前記表示された入店予定時間を前記利用者に指定させる管理手段と、
前記第１端末装置に対する前記利用者の操作に応じて指定された入店予定時間を含む順番待ち情報を登録する登録手段と、
前記登録された順番待ち情報を、当該順番待ち情報に含まれる入店予定時間に基づいて前記第２端末装置に表示する第２表示処理手段と
を具備し、
前記第１端末装置は、前記店舗に設けられている店舗端末及び前記利用者が所持する利用者端末を含み、
前記第１表示処理手段は、
前記第１端末装置が前記店舗端末である場合には、前記利用者に指定させることが可能な入店予定時間のうち最も早い入店予定時間を前記店舗端末に表示し、
前記第１端末装置が前記利用者端末である場合には、前記利用者に指定させることが可能な入店予定時間の一覧を前記利用者端末に表示する
情報管理装置。
【請求項２】
前記入店予定時間毎に登録可能な順番待ち情報の数を示す設定情報を格納する設定情報格納手段と、
前記設定情報に基づいて前記利用者に指定させることが可能な入店予定時間を前記第１端末装置に表示する第２表示処理手段と
を更に具備し、
前記管理手段は、前記第１端末装置に表示された入店予定時間から前記利用者に指定させる
請求項１記載の情報管理装置。
【請求項３】
前記第２端末装置に対する操作に応じて前記利用者に指定させる入店予定時間によって示される時間帯の長さを変更する変更手段を更に具備する請求項１記載の情報管理装置。
【請求項４】
前記登録手段は、前記利用者の順番待ちに対して発行された受付番号を含む順番待ち情報を登録し、
前記受付番号は、当該受付番号を含む順番待ち情報に含まれる入店予定時間を識別可能な番号である
請求項１記載の情報管理装置。
【請求項５】
利用者の店舗に対する順番待ちを受け付ける際に当該利用者によって操作される第１端末装置及び前記店舗に設けられる第２端末装置と接続される情報管理装置が実行する情報管理方法において、
予め定められた長さの時間帯であって、前記利用者に指定させることが可能な入店予定時間を前記第１端末装置に表示するステップと、
前記第１端末装置を介して、前記表示された入店予定時間を前記利用者に指定させるステップと、
前記第１端末装置に対する前記利用者の操作に応じて指定された入店予定時間を含む順番待ち情報を登録するステップと、
前記登録された順番待ち情報を、当該順番待ち情報に含まれる入店予定時間に基づいて前記第２端末装置に表示するステップと
を具備し、
前記第１端末装置は、前記店舗に設けられている店舗端末及び前記利用者が所持する利用者端末を含み、
前記入店予定時間を前記第１端末装置に表示するステップは、
前記第１端末が前記店舗端末である場合には、前記利用者に指定させることが可能な入店予定時間のうち最も早い入店予定時間を前記店舗端末に表示するステップと、
前記第１端末装置が前記利用者端末である場合には、前記利用者に指定させることが可能な入店予定時間の一覧を前記利用者端末に表示するステップと
を含む
情報管理方法。
【請求項６】
利用者の店舗に対する順番待ちを受け付ける際に当該利用者によって操作される第１端末装置及び前記店舗に設けられる第２端末装置と接続される情報管理装置のコンピュータによって実行されるプログラムであって、
前記コンピュータに、
予め定められた長さの時間帯であって、前記利用者に指定させることが可能な入店予定時間を前記第１端末装置に表示するステップと、
前記第１端末装置を介して、前記表示された入店予定時間を前記利用者に指定させるステップと、
前記第１端末装置に対する前記利用者の操作に応じて指定された入店予定時間を含む順番待ち情報を登録するステップと、
前記登録された順番待ち情報を、当該順番待ち情報に含まれる入店予定時間に基づいて前記第２端末装置に表示するステップと
を実行させ、
前記第１端末装置は、前記店舗に設けられている店舗端末及び前記利用者が所持する利用者端末を含み、
前記入店予定時間を前記第１端末装置に表示するステップは、
前記第１端末が前記店舗端末である場合には、前記利用者に指定させることが可能な入店予定時間のうち最も早い入店予定時間を前記店舗端末に表示するステップと、
前記第１端末装置が前記利用者端末である場合には、前記利用者に指定させることが可能な入店予定時間の一覧を前記利用者端末に表示するステップと
を含む
プログラム。
【手続補正２】
【補正対象書類名】明細書
【補正対象項目名】０００９
【補正方法】変更
【補正の内容】
【０００９】
本発明の１つの態様によれば、利用者の店舗に対する順番待ちを受け付ける際に当該利用者によって操作される第１端末装置及び前記店舗に設けられる第２端末装置と接続される情報管理装置が提供される。前記情報管理装置は、第１表示処理手段と、管理手段と、登録手段と、第２表示処理手段とを具備する。前記第１表示処理手段は、予め定められた長さの時間帯であって、前記利用者に指定させることが可能な入店予定時間を前記第１端末装置に表示する。前記管理手段は、前記第１端末装置を介して、前記表示された入店予定時間を前記利用者に指定させる。前記登録手段は、前記第１端末装置に対する前記利用者の操作に応じて指定された入店予定時間を含む順番待ち情報を登録する。前記第２表示処理手段は、前記登録された順番待ち情報を、当該順番待ち情報に含まれる入店予定時間に基づいて前記第２端末装置に表示する。前記第１端末装置は、前記店舗に設けられている店舗端末及び前記利用者が所持する利用者端末を含む。前記第１表示処理手段は、前記第１端末装置が前記店舗端末である場合には、前記利用者に指定させることが可能な入店予定時間のうち最も早い入店予定時間を前記店舗端末に表示し、前記第１端末装置が前記利用者端末である場合には、前記利用者に指定させることが可能な入店予定時間の一覧を前記利用者端末に表示する。
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
利用者の店舗に対する順番待ちを受け付ける際に当該利用者によって操作される第１端末装置及び前記店舗に設けられる第２端末装置と接続される情報管理装置において、
予め定められた長さの時間帯であって、前記利用者に指定させることが可能な入店予定時間を前記第１端末装置に表示する第１表示処理手段と、
前記第１端末装置を介して、前記表示された入店予定時間を前記利用者に指定させる管理手段と、
前記第１端末装置に対する前記利用者の操作に応じて指定された入店予定時間及び経路の情報を含む順番待ち情報を登録する登録手段と、
前記登録された順番待ち情報を、当該順番待ち情報に含まれる入店予定時間に基づいて前記第２端末装置に表示する第２表示処理手段と
を具備し、
前記第１表示処理手段は、
前記店舗に予め設けられている第１端末装置には、前記利用者に指定させることが可能な入店予定時間のうち最も早い入店予定時間を表示し、
前記店舗に予め設けられている第１端末装置とは異なる経路からアクセスされた第１端末装置には、前記利用者に指定させることが可能な入店予定時間の一覧を表示する
情報管理装置。
【請求項２】
前記入店予定時間毎に登録可能な順番待ち情報の数を示す設定情報を格納する設定情報格納手段と、
前記設定情報に基づいて前記利用者に指定させることが可能な入店予定時間を前記第１端末装置に表示する第２表示処理手段と
を更に具備し、
前記管理手段は、前記第１端末装置に表示された入店予定時間から前記利用者に指定させる
請求項１記載の情報管理装置。
【請求項３】
前記第２端末装置に対する操作に応じて前記利用者に指定させる入店予定時間によって示される時間帯の長さを変更する変更手段を更に具備する請求項１記載の情報管理装置。
【請求項４】
前記登録手段は、前記利用者の順番待ちに対して発行された受付番号を含む順番待ち情報を登録し、
前記受付番号は、当該受付番号を含む順番待ち情報に含まれる入店予定時間を識別可能な番号である
請求項１記載の情報管理装置。
【請求項５】
利用者の店舗に対する順番待ちを受け付ける際に当該利用者によって操作される第１端末装置及び前記店舗に設けられる第２端末装置と接続される情報管理装置が実行する情報管理方法において、
予め定められた長さの時間帯であって、前記利用者に指定させることが可能な入店予定時間を前記第１端末装置に表示するステップと、
前記第１端末装置を介して、前記表示された入店予定時間を前記利用者に指定させるステップと、
前記第１端末装置に対する前記利用者の操作に応じて指定された入店予定時間及び経路の情報を含む順番待ち情報を登録するステップと、
前記登録された順番待ち情報を、当該順番待ち情報に含まれる入店予定時間に基づいて前記第２端末装置に表示するステップと
を具備し、
前記第１端末装置は、前記店舗に設けられている店舗端末及び前記利用者が所持する利用者端末を含み、
前記入店予定時間を前記第１端末装置に表示するステップは、
前記店舗に予め設けられている第１端末装置には、前記利用者に指定させることが可能な入店予定時間のうち最も早い入店予定時間を表示するステップと、
前記店舗に予め設けられている第１端末装置とは異なる経路からアクセスされた第１端末装置には、前記利用者に指定させることが可能な入店予定時間の一覧を表示するステップと
を含む
情報管理方法。
【請求項６】
利用者の店舗に対する順番待ちを受け付ける際に当該利用者によって操作される第１端末装置及び前記店舗に設けられる第２端末装置と接続される情報管理装置のコンピュータによって実行されるプログラムであって、
前記コンピュータに、
予め定められた長さの時間帯であって、前記利用者に指定させることが可能な入店予定時間を前記第１端末装置に表示するステップと、
前記第１端末装置を介して、前記表示された入店予定時間を前記利用者に指定させるステップと、
前記第１端末装置に対する前記利用者の操作に応じて指定された入店予定時間及び経路の情報を含む順番待ち情報を登録するステップと、
前記登録された順番待ち情報を、当該順番待ち情報に含まれる入店予定時間に基づいて前記第２端末装置に表示するステップと
を実行させ、
前記第１端末装置は、前記店舗に設けられている店舗端末及び前記利用者が所持する利用者端末を含み、
前記入店予定時間を前記第１端末装置に表示するステップは、
前記店舗に予め設けられている第１端末装置には、前記利用者に指定させることが可能な入店予定時間のうち最も早い入店予定時間を表示するステップと、
前記店舗に予め設けられている第１端末装置とは異なる経路からアクセスされた第１端末装置には、前記利用者に指定させることが可能な入店予定時間の一覧を表示するステップと
を含む
プログラム。
【手続補正２】
【補正対象書類名】明細書
【補正対象項目名】０００９
【補正方法】変更
【補正の内容】
【０００９】
本発明の１つの態様によれば、利用者の店舗に対する順番待ちを受け付ける際に当該利用者によって操作される第１端末装置及び前記店舗に設けられる第２端末装置と接続される情報管理装置が提供される。前記情報管理装置は、第１表示処理手段と、管理手段と、登録手段と、第２表示処理手段とを具備する。前記第１表示処理手段は、予め定められた長さの時間帯であって、前記利用者に指定させることが可能な入店予定時間を前記第１端末装置に表示する。前記管理手段は、前記第１端末装置を介して、前記表示された入店予定時間を前記利用者に指定させる。前記登録手段は、前記第１端末装置に対する前記利用者の操作に応じて指定された入店予定時間及び経路の情報を含む順番待ち情報を登録する。前記第２表示処理手段は、前記登録された順番待ち情報を、当該順番待ち情報に含まれる入店予定時間に基づいて前記第２端末装置に表示する。前記第１端末装置は、前記店舗に設けられている店舗端末及び前記利用者が所持する利用者端末を含む。前記第１表示処理手段は、前記店舗に予め設けられている第１端末装置には、前記利用者に指定させることが可能な入店予定時間のうち最も早い入店予定時間を表示し、前記店舗に予め設けられている第１端末装置とは異なる経路からアクセスされた第１端末装置には、前記利用者に指定させることが可能な入店予定時間の一覧を表示する。